(57)【要約】【課題】化粧崩れには皮脂による濡れや汗、本発明で注目した皮膚の伸縮運動など多くの要素が絡んでおり、その要素を解析することは化粧崩れ防止効果を向上するために必要であった【解決手段】膜厚５０〜４００μｍの範囲にあるゴムまたはエラストマー製の平滑な膜の表面に、着色顔料またはパール剤と試料との混合物または試料の被覆物を一定の面積に塗工し、塗工部位を含む膜の何も力を加えていない時の長さ１００に対して、１１０〜２００の範囲にある一定値まで膜を引き伸ばし、元の長さに戻す行為を繰り返し、一定回数ごとの塗布物の剥離状態を観察することで、瞬きや顔、口、身体の動きに対する試料の顔料固定化能力を評価する方法が得られ、それを利用して化粧崩れ防止効果に優れた化粧料を得る。【選択図】なし【特許請求の範囲】
【請求項１】
膜厚５０〜４００μｍの範囲にあるゴムまたはエラストマー製の平滑な膜の表面に、着色顔料またはパール剤と試料との混合物または試料の被覆物を一定の面積に塗工し、塗工部位を含む膜の何も力を加えていない時の長さ１００に対して、１１０〜２００の範囲にある一定値まで膜を引き伸ばし、元の長さに戻す行為を繰り返し、一定回数ごとの塗布物の剥離状態を観察することで、瞬きや顔、口、身体の動きに対する試料の顔料固定化能力を評価する方法。
【請求項２】
膜の膜厚が１００〜１５０μｍの範囲にあることを特徴とする請求項１に記載の顔料固定化能力を評価する方法。
【請求項３】
着色顔料またはパール剤の質量１００質量部に対する試料の混合または被覆割合が、８〜１２質量部の範囲にあることを特徴とする請求項１または２のいずれかに記載の顔料固定化能力を評価する方法。
【請求項４】
パール剤が酸化鉄被覆雲母、酸化鉄・酸化チタン被覆雲母から選ばれることを特徴とする請求項１〜３のいずれかに記載の顔料固定化能力を評価する方法。
【請求項５】
引き伸ばす長さが１５０〜１８０の範囲にあることを特徴とする請求項１〜４のいずれかに記載の顔料固定化能力を評価する方法。
【請求項６】
試料が液状油、固型油、樹脂、ペースト、エラストマーから選ばれることを特徴とする請求項１〜５のいずれかに記載の顔料固定化能力を評価する方法。
【請求項７】
請求項１に記載の方法を用いて評価され、優れた成績を収めた試料を油剤質量中の２０質量％以上含み、身体各部位の伸び縮みの動きに対して崩れにくいことを訴求した化粧料。
【発明の詳細な説明】
【技術分野】
【０００１】  本発明は、瞬きや顔、口、身体の伸び縮みを伴う動きに対する、化粧料中の油剤、樹脂などの顔料固定化能力を評価する方法と、それによって選択された試料を配合することで、身体各部位の伸び縮みの動きに対して崩れにくいことを訴求した化粧料に関する。
【背景技術】
【０００２】  従来、化粧下地やファンデーションのバインダーオイルなど、粉体の化粧料成分を肌に固定する役割を持つ油剤、樹脂、固型油などが知られている。これらの油剤は通常、化粧料への配合しやすさ、皮脂溶解性、感触などを基準に選択されている。しかしながら、肌は激しく伸縮しており、これによる影響を考慮したものは見られない。
【発明の開示】
【発明が解決しようとする課題】
【０００３】  一方、通常、化粧料の特許には化粧持ちが改善される旨の記載が多く見られる。そして、撥水撥油性のあるフッ素系の油剤や接着能力のある樹脂成分などを除けば何が効果を示しているのかが不明であることが多い。また、化粧崩れには皮脂による濡れや汗、本発明で注目した皮膚の伸縮運動など多くの要素が絡んでおり、その要素を解析することは化粧崩れ防止効果を向上するために必要であった。
【課題を解決するための手段】
【０００４】  そこで、本発明人は鋭意検討した結果、化粧崩れの中でも皮膚の伸縮運動に注目し、その影響度を評価する方法を開発した。すなわち、膜厚５０〜４００μｍの範囲にあるゴムまたはエラストマー製の平滑な膜の表面に、着色顔料またはパール剤と試料との混合物または試料の被覆物を一定の面積に塗工し、塗工部位を含む膜の何も力を加えていない時の長さ１００に対して、１１０〜２００の範囲にある一定値まで膜を引き伸ばし、元の長さに戻す行為を繰り返し、一定回数ごとの塗布物の剥離状態を観察することで、瞬きや顔、口、身体の動きに対する試料の顔料固定化能力を評価する方法を開発した。本方法を用いると、各種の油剤の顔料固定化能力の序列をつけることができる。そして、評価の良かった試料を用いて化粧料を作製することにより、皮膚の動きにより追随する能力に優れた化粧料が得られるようになった。【０００５】  すなわち、本発明は、膜厚５０〜４００μｍの範囲にあるゴムまたはエラストマー製の平滑な膜の表面に、着色顔料またはパール剤と試料との混合物または試料の被覆物を一定の面積に塗工し、塗工部位を含む膜の何も力を加えていない時の長さ１００に対して、１１０〜２００の範囲にある一定値まで膜を引き伸ばし、元の長さに戻す行為を繰り返し、一定回数ごとの塗布物の剥離状態を観察することで、瞬きや顔、口、身体の動きに対する試料の顔料固定化能力を評価する方法にある。【０００６】  第２の本発明は、膜の膜厚が１００〜１５０μｍの範囲にあることを特徴とする上記の顔料固定化能力を評価する方法にある。【０００７】  第３の本発明は、着色顔料またはパール剤の質量１００質量部に対する試料の混合または被覆割合が、８〜１２質量部の範囲にあることを特徴とする上記の顔料固定化能力を評価する方法にある。【０００８】  第４の本発明は、パール剤が酸化鉄被覆雲母、酸化鉄・酸化チタン被覆雲母から選ばれることを特徴とする上記の顔料固定化能力を評価する方法にある。【０００９】  第５の本発明は、引き伸ばす長さが１５０〜１８０の範囲にあることを特徴とする上記の顔料固定化能力を評価する方法にある。【００１０】  第６の本発明は、試料が液状油、固型油、樹脂、ペースト、エラストマーから選ばれることを特徴とする上記の顔料固定化能力を評価する方法にある。【００１１】  第７の本発明は、上記の方法を用いて評価され、優れた成績を収めた試料を油剤質量中の２０質量％以上含み、身体各部位の伸び縮みの動きに対して崩れにくいことを訴求した化粧料にある。
【発明の効果】
【００１２】  以上説明するように、本発明は、膜厚５０〜４００μｍの範囲にあるゴムまたはエラストマー製の平滑な膜の表面に、着色顔料またはパール剤と試料との混合物または試料の被覆物を一定の面積に塗工し、塗工部位を含む膜の何も力を加えていない時の長さ１００に対して、１１０〜２００の範囲にある一定値まで膜を引き伸ばし、元の長さに戻す行為を繰り返し、一定回数ごとの塗布物の剥離状態を観察することで、瞬きや顔、口、身体の動きに対する試料の顔料固定化能力を適切に評価でき、さらに評価の良かった試料を用いて化粧料を作製することにより、皮膚の動きにより追随する能力に優れた化粧料が得られることは明らかである。
【発明を実施するための最良の形態】
【００１３】  以下、上記本発明を詳細に説明する。
本発明は、膜厚５０〜４００μｍの範囲にあるゴムまたはエラストマー製の平滑な膜の表面に、着色顔料またはパール剤と試料との混合物または試料の被覆物を一定の面積に塗工し、塗工部位を含む膜の何も力を加えていない時の長さ１００に対して、１１０〜２００の範囲にある一定値まで膜を引き伸ばし、元の長さに戻す行為を繰り返し、一定回数ごとの塗布物の剥離状態を観察することで、瞬きや顔、口、身体の動きに対する試料の顔料固定化能力を評価する方法にある。以下順に説明する。
本発明で用いる膜厚５０〜４００μｍの範囲にあるゴムまたはエラストマー製の平滑な膜とは、マイクロメーターで測定した場合の膜厚が５０〜４００μｍの範囲にあり、より好ましくは膜厚が１００〜１５０μｍの範囲にある膜を用いることが好ましい。この範囲であると伸縮が容易で作業がしやすいメリットがある。ゴムまたはエラストマーとしては、天然ゴム、合成ゴム、シリコーンゴム、ウレタンゴム、イソプレンゴムなど市販されている各種のゴムを用いることが可能であるが、天然ゴム、シリコーンゴムが化粧料との相性がいいことから好ましい。また、ここで言う平滑とはほぼ平滑であれば良く、その表面に例えば皮膚表面の文様を固定化したものなども用いることができる。【００１４】  本発明で用いる試料としては、液状油、固型油、樹脂、ペースト、エラストマー等が挙げられる。試料は単独成分でも良いし、混合成分でも良い。これらの試料は着色顔料またはパール剤と試料と事前にミキサー等で混合するか、溶剤等を用いて着色顔料またはパール剤の表面に試料を被覆したものを用いるが、実験の再現性を考慮すると、溶剤等を用いて湿式で表面処理したものを用いることが好ましい。ここでパール剤とは、雲母チタンなど干渉色を示す顔料のことを指し、特に酸化鉄被覆雲母または酸化鉄・酸化チタン被覆雲母を用いると顔料の脱落が明確に観察できることから好ましい。着色顔料またはパール剤は化粧料に通常用いられているものであれば特に問題ない。一次粒子径は０．１〜１５μｍの範囲に入るものが好適に用いられる。湿式で試料を着色顔料またはパール剤の表面に被覆する方法としては、例えば低級アルコールや環状シリコーンなどの揮発性溶媒に試料を溶解または分散し、ここに着色顔料またはパール剤を投入し、よく混合した後に溶媒を除去する方法が挙げられる。着色顔料またはパール剤に対する試料の被覆量としては、着色顔料またはパール剤の質量１００質量部に対する試料の混合または被覆割合が、８〜１２質量部の範囲にあることが好ましく、特に好ましくは１０質量部である。被覆量が多いと着色顔料またはパール剤が砂状またはペースト状の外観に変化し、塗工がしにくくなる、結果がばらつくといった問題がでる。また、被覆量が減ると再現性が悪くなる場合があり好ましくない。【００１５】  本発明では上記で作成したサンプルを膜の表面に一定の面積にて塗工するが、膜の大きさ、塗布部位、塗布面積は各試料ごとに一緒にすることが好ましい。例えば塗布は直径５ｃｍ程度の円形部位に塗工することが好ましい。膜上の塗布位置が変化すると、膜の伸び縮みは部位によって変化するため一定の結果が得られにくい問題がでる。塗布量は例えば直径５ｃｍの円形に塗布した場合数ｍｇの範囲で微量であること、塗工の均一性が確保しにくいこと、そして試料の性質によって塗工量が変化することから、塗布量を制御することは難しい面がある。そのため、綿棒やスポンジを用いて外観上均一に塗れていれば良い。【００１６】  本発明では、上記にて得られた塗工部位を含む膜の何も力を加えていない時の長さ１００に対して、１１０〜２００の範囲にある一定値まで膜を引き伸ばし、元の長さに戻す行為を繰り返し、一定回数ごとの塗布物の剥離状態を観察する。膜���長さ、幅、膜の固定位置は試料ごとに一緒の条件とする必要がある。特に膜を引き伸ばす方向の膜の長さと、もし膜の伸縮性が縦方向と横方向で違いがあった場合はその方向も合わせる必要がある。膜を引き伸ばす長さはさらに１５０〜１８０の範囲にあることが好ましい。この範囲であると実験の再現性が良いメリットがある。膜が長方形の形状を持つならば、例えば一辺を金属製の枠に固定し、対応する反対側の辺を金属製の棒等に固定し、棒を往復運動させることで上記の状態を実現できる。往復運動のスピードとしては、例えば人間の各部位の動きに合わせて毎秒０．５回〜２回の範囲で設定することが好ましい。尚、上記膜の引き伸ばしの範囲を１１０〜２００に設定した理由は、身体の各部位、特に顔面の伸び縮みの量から設定した。例えば瞼は開いている時の上下方向の長さは個人差はあるものの１０〜１５ｍｍであり、これに対して閉じている時の上下方向の長さは２０ｍｍ前後ある。すると開いている時と閉じている時の瞼の長さの変化は、開いている時の長さを１００とした場合に１３３〜２００の範囲に入る。このように化粧崩れを見たい部位の肌の動きを直接計測し、その範囲を規定してみるとおよそ１１０〜２００の範囲に設定すれば身体部位は大体含まれることが判る。【００１７】  次に、本発明では上記試験において一定回数ごとの塗布物の剥離状態を観察することで、瞬きや顔、口、身体の動きに対する試料の顔料固定化能力を評価する。この評価方法としては、一定の照明条件下でカメラ撮影し、塗布物の剥離状態を画像として残すことが好ましい。試料の種類によって着色顔料またはパール剤の崩れ方は変化してしまうが、同じ崩れ方をする試料間の比較は、上記画像データを測色し、その測色値の変化から相対的にどの試料の固定化能力が優れているかを比較できる。顔料固定化能力が高い試料の場合、測色をおこなっても色変化は大きくない特徴がある。尚、本評価方法では試料の特性により、様々な崩れ方をすることが確認されているので、カメラ画像だけでなく、都度崩れ方は目視で確認し、記録することが好ましい。【００１８】  本発明の化粧料では、上記評価方法にて優れた成績を収めた試料を油剤質量中の２０質量％以上含み、身体各部位の伸び縮みの動きに対して崩れにくいことを訴求している。ここでいう優れた成績とは、上記評価方法で例えば引き伸ばす長さを１７０に設定し、９００回伸縮させた際に顔料またはパール剤がまだ充分に塗布部位に残っており、造粒もあまりしていない状態を言う。この評価は相対的なものなので、伸縮回数や引き伸ばす長さによって塗布物の状態は変化するが、試料としてスクワランを基準とし、これと比べて優れているか否かを評価することも好ましい。また、試料は単独の場合と混合物の場合で別の結果となることがある。すなわち、単独では顔料固定化能力が低いと評価された試料が、他の成分との混合物では顔料固定化能力が高いと評価される場合がある。従って、本発明の化粧料では、顔料固定化能力が高いと評価された単独試料を多く配合するか、もしくは油相成分全体の組成物を試料と見なして評価して性能を確認した上で配合することが好ましい。【００１９】  本発明の化粧料は、通常化粧料に用いられる油剤、���脂、粉体（顔料、色素、樹脂）、フッ素化合物、防腐剤、香料、界面活性剤、紫外線吸収剤、保湿剤、生理活性成分、塩類、溶媒、酸化防止剤、キレート剤、中和剤、ｐＨ調整剤等の成分を使用することができる。例えば、シリコーン油としては、例えばジメチルポリシロキサン、メチルハイドロジェンポリシロキサン、メチルフェニルポリシロキサン、ポリエーテル変性オルガノポリシロキサン、フルオロアルキル・ポリオキシアルキレン共変性オルガノポリシロキサン、ジメチコノール、末端変性オルガノポリシロキサン、フッ素変性オルガノポリシロキサン、アモジメチコーン、アミノ変性オルガノポリシロキサン、シリコーンゲル、アクリルシリコーン、揮発性シリコーン（環状シリコーン、メチルトリメチコン）等のシリコーン化合物が挙げられる。【００２０】  本発明の化粧料で用いる多価アルコールとしては、例えばエチレングリコール、ジエチレングリコール、ポリエチレングリコール、プロピレングリコール、ジプロピレングリコール、ポリプロピレングリコール、グリセリン、ジグリセリン、ポリグリセリン、３−メチル−１，３−ブタンジオール、１，３−ブチレングリコール、ソルビトール、マンニトール、グルコース、ショ糖、果糖、キシリトール、ラフィノース、ラクトース、マルトース、マルチトール、トレハロース、アルキル化トレハロース、混合異性化糖、硫酸化トレハロース、プルラン等が挙げられる。またこれらの化学修飾体なども使用可能である。【００２１】  本発明の化粧料で用いる油剤としては、通常化粧料に用いられる揮発性および不揮発性の油剤および溶剤および樹脂が挙げられる。油剤の例としては、例えばアボガド油、アマニ油、アーモンド油、イボタロウ、エノ油、オリーブ油、カカオ脂、カポックロウ、カヤ油、カルナウバロウ、キャンデリラロウ、キョウニン油、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、セラックロウ、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、綿実油、綿ロウ、モクロウ、モクロウ核油、モンタンロウ、ヤシ油、硬化ヤシ油、トリヤシ油脂肪酸グリセライド、落花生油、ラノリン、液状ラノリン、還元ラノリン、ラノリンアルコール、硬質ラノリン、酢酸ラノリン、ラノリン脂肪酸イソプロピル、ラウリン酸ヘキシル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等；炭化水素油として、オゾケライト、スクワラン、スクワレン、セレシン、パラフィン、パラフィンワックス、流動パラフィン、プリスタン、ポリイソブチレン、マイクロクリスタリンワックス、ワセリン等；高級脂肪酸としては、ラウリン酸、ミリスチン酸、パルミチン酸、ステアリン酸、ベヘン酸、ウンデシレン酸、オレイン酸、リノール酸、リノレン酸、アラキドン酸、エイコサペンタエン酸（ＥＰＡ）、ドコサヘキサエン酸（ＤＨＡ）、イソステアリン酸、１２−ヒドロキシステアリン酸等；高級アルコールとしては、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）、モノオレイルグリセリルエーテル（セラキルアルコール）等；エステル油としては、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、イソノナン酸イソノニル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、イソノナン酸イソノニル、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、パルミチン酸イソプロピル、パルミチン酸２−エチルヘキシル、パルミチン酸２−ヘキシルデシル、パルミチン酸２−ヘプチルウンデシル、１２−ヒドロキシステアリル酸コレステリル、ジペンタエリスリトール脂肪酸エステル、ミリスチン酸イソプロピル、ミリスチン酸オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、リンゴ酸ジイソステアリル等；グリセライド油としては、アセトグリセリル、トリイソオクタン酸グリセリル、トリイソステアリン酸グリセリル、トリ（カプリル・カプリン酸）グリセリン、トリイソパルミチン酸グリセリル、モノステアリン酸グリセリル、ジ−２−ヘプチルウンデカン酸グリセリル、トリミリスチン酸グリセリル、ミリスチン酸イソステアリン酸ジグリセリル、エチレン・α−オレフィン・コオリゴマー、パーフルオロポリエーテル、フッ化ピッチ、フルオロカーボン、フルオロアルコール等のフッ素化合物などが挙げられる。特にフッ素系の油剤と本発明で用いる試料を組み合わせて使用した場合、肌の伸縮による化粧崩れだけでなく、汗や皮脂による崩れにも強い化粧料が得られるメリットがある。【００２２】  本発明で用いる粉体の例としては、例えば無機粉体、有機粉体、界面活性剤金属塩粉体、有色顔料、パール顔料、金属粉末顔料、タール色素、天然色素などがあげられ、具体的には、無機粉体としては、酸化チタン、酸化ジ��コニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、窒化ボロン又はシリカなどがある。有機粉体としては、ポリアミドパウダー、ポリエステルパウダー、ポリエチレンパウダー、ポリプロピレンパウダー、ポリスチレンパウダー、ポリウレタンパウダー、ベンゾグアナミンパウダー、ポリメチルベンゾグアナミンパウダー、ポリテトラフルオロエチレンパウダー、ポリメチルメタクリレートパウダー、セルロースパウダー、シルクパウダー、１２ナイロンや６ナイロンなどのナイロンパウダー、ポリアクリルパウダー、ポリアクリルエラストマー、スチレン・アクリル酸共重合体、ジビニルベンゼン・スチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂、微結晶繊維粉体、デンプン末又はラウロイルリジンなどがある。界面活性剤金属塩粉体（金属石鹸）としては、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウムなどがある。有色顔料としては、酸化鉄、水酸化鉄、チタン酸鉄の無機赤色顔料、Ｙ−酸化鉄などの無機褐色系顔料、黄酸化鉄、黄土などの無機黄色系顔料、黒酸化鉄、カーボンブラックなどの無機黒色顔料、マンガンバイオレット、コバルトバイオレットなどの無機紫色顔料、水酸化クロム、酸化クロム、酸化コバルト、チタン酸コバルトなどの無機緑色顔料、紺青、群青などの無機青色系顔料、タール系色素をレーキ化したもの、天然色素をレーキ化したもの、及びこれらの粉体を複合化した合成樹脂粉体などある。パール顔料としては、酸化チタン被覆雲母、酸化チタン被覆マイカ、オキシ塩化ビスマス、酸化チタン被覆オキシ塩化ビスマス、酸化チタン被覆タルク、魚鱗箔、酸化チタン被覆着色雲母、酸化チタン・酸化鉄被覆マイカなど；金属粉末顔料としては、アルミニウムパウダー、カッパーパウダー、ステンレスパウダーなど；タール色素としては、赤色３号、赤色１０４号、赤色１０６号、赤色２０１号、赤色２０２号、赤色２０４号、赤色２０５号、赤色２２０号、赤色２２６号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙��２０６号、橙色２０７号など；天然色素としては、カルミン酸、ラッカイン酸、カルサミン、ブラジリン又はクロシンなどから選ばれる顔料が挙げられる。表面処理は撥水性処理であっても親水性処理であっても構わない。尚、フッ素化合物処理などの表面処理をした粉体と本発明の試料を組み合わせて用いることで、肌の伸縮による化粧崩れだけでなく、汗、皮脂にも強い化粧料を得ることができる。さらに前記のフッ素系油剤との組み合わせも効果的である。【００２３】  本発明の化粧料としては、例えばアイシャドウ、ファンデーション、アイライナー、頬紅、コンシーラー、フェースパウダー、口紅、リップグロスなどのメイクアップ化粧品、化粧下地、サンスクリーン剤、ローション、乳液、クリームなどの基礎化粧品が挙げられる。
【発明を実施するための最良の形態】
【００２４】  以下に実施例を挙げ本発明を更に詳細に説明するが、本発明はこれに限定されるものではない。
【実施例】
【００２５】〔実施例１〕
厚さ１３５μｍの天然ゴムを用い、引き伸ばさない時の膜の長さが１００ｍｍになるようにし、中心部に直径５０ｍｍの円を描き、その中にサンプルを綿棒で均一になるように塗工した。（サンプルの作製方法は後記する。）膜の一辺を金属枠に固定し、膜の長さ方向に１７０ｍｍまで引き伸ばせるようにもう一辺を固定した。毎秒１往復のスピードで膜を１００ｍｍから１７０ｍｍまで往復させた。往復回数が０回、３００回、６００回、９００回の時の画像をデジタルカメラを用いて撮影し、さらにその時の様子を目視観察した。【００２６】  サンプルの調製方法
パール剤として、酸化鉄・酸化チタン被覆雲母（エンゲルハード社製、クロイゾネ  ルージュフランベ、平均粒子径２５μｍ）を用いた。このパール剤１００質量部に対し、溶媒１８０質量部に試料１０質量部を加えた溶液を加え、よく攪拌した。溶媒は揮発性シリコーンの一種であるデカメチルシクロペンタシロキサンに溶解する試料は同溶媒を用い、溶解しないものについてはエタノールを用いた。そして、得られたスラリーを６０℃にて加熱乾燥して溶媒を除去した後、粉砕してサンプルを得た。【００２７】  試料としては、表１に示す原料を用いた。
評価結果としては、往復回数９００回の時のパール剤の脱離状態を目視観察し、合わせてデジタルカメラによる画像を併用して判断した。評価結果を表１に合わせて示す。尚、×は顔料固定化能力が認められないこと、○は顔料固定化能力に優れていること、◎は顔料固定化能力に大変優れていることを示す。【００２８】
【表１】
2008122355.tif 000002
【００２９】  表１の結果から、本発明の評価方法により、顔料固定化能力の有無が判定できることが判る。【００３０】〔実施例２〕
実施例１の結果から、交互ブロック共重合型のポリエーテル変性シリコーン等の顔料固定化能力が高いことが示された。そこで、表１で顔料固定化能力に優れていると判断された試料を用いて表２の処方と製造方法に従ってファンデーションを作製し、その性能を実用試験により評価した。尚、配合量の単位は質量％である。また、交互ブロック共重合型のポリエーテル変性シリコーンとしては、東レ・ダウコーニング社製ＦＺ２２３３を使用した。半球状アクリル樹脂粉体としては、積水化成品工業製のテクポリマーを使用した。【００３１】
【表２】
2008122355.tif 000003
【００３２】  粉体相をミキサーに入れ、良く混合した。そこに事前に混合しておいたバインダー相を投入し、さらに良く混合した後、篩を通し、金型を用いて金皿に打型して製品を得た。【００３３】〔比較例１〕
実施例２のバインダー相を表３の組成に変更した他は全て実施例２と同様にして製品を得た。【００３４】
【表３】
2008122355.tif 000004
【００３５】  実施例２及び比較例１のファンデーションをパネラー１０名の顔の左右に塗布し、化粧崩れの程度を比較した。特に口、鼻まわりのよれ方に着目して試験を実施した。尚、化粧下地としては、１，３−ブチレングリコール２０質量％、エタノール１０質量％、精製水残量からなるローションを使用した。結果を表４に示す。尚、結果は外部評価による目視判定により実施し、優れた性能を有していた人数で示した。【００３６】
【表４】
2008122355.tif 000005
【００３７】  表４の結果から、本発明の実施例は比較例と比べて皮膚が良く動く口まわり、鼻まわり、目尻の部位においてヨレ（化粧崩れ）が起きにくいこと、また、化粧持ちも良いことが判る。一方、従来化粧持ちで良く用いられるテカリについては特に優劣は認められなかった。このことから、本発明の評価方法および化粧料の設計方法は、従来の化粧持続性をさらに要因別に分解し、肌の動きに適した開発ツールを与えることが判る。